(57)【要約】【課題】監視警告機能及び録画機能を兼ね備えた照明器具を提供する。【解決手段】照明器具は、ランプ本体１０、ビデオレコーダー２０、壁ベース３０及び監視警告装置４０を備える。ランプ本体１０は、ランプ体１１の頂端に組み立てられる照明ハウジング１２を有する。ランプ体１１と照明ハウジング１２との間には、照明光源１３及びランプカバー１４が配設される。ランプ体１１上には、貫通孔１５が形成される。ランプ体１１の端部には、底蓋１６が嵌設される。底蓋１６上には、ＳＤカードスロットが形成される。ビデオレコーダー２０は、ランプ体１１内に収容される。ランプ体１１内には、ビデオカメラ２２が固着される。ビデオカメラ２２の撮像ヘッド部は、ランプ体１１の貫通孔１５に相対して位置し、ランプ体１１の外部を撮影する。ビデオレコーダー２０は、ランプ体１１の底蓋１６内に取り付けられたＴＦカードプレート２３を有する。【選択図】図３
0003226263.tif 000002
【実用新案登録請求の範囲】
【請求項１】
ランプ本体、ビデオレコーダー、壁ベース及び監視警告装置を備えた、照明器具であって、
前記ランプ本体は、ランプ体の頂端に組み立てられる照明ハウジングを有し、前記ランプ体と前記照明ハウジングとの間には、照明光源及びランプカバーが配設され、前記ランプ体には、貫通孔が形成され、前記ランプ体の端部には、底蓋が嵌設され、前記底蓋には、ＳＤカードスロットが形成され、
前記ビデオレコーダーは、前記ランプ体内に収容され、前記ランプ体内には、ビデオカメラが固着され、前記ビデオカメラの撮像ヘッド部は、前記ランプ体の前記貫通孔に相対して位置し、前記ランプ体の外部を撮影し、前記ビデオレコーダーは、前記ランプ体の底蓋内に取り付けられたＴＦカードプレートを有し、前記ＴＦカードプレートには、前記ビデオカメラが撮影した画像を記憶するＳＤカードが挿入され、
前記壁ベースは、前記ランプ体が固着されるとともに、内部に電源が固設され、底端に固定槽が形成され、
前記監視警告装置は、集光ランプと、ＰＩＲ（Ｐａｓｓｉｖｅ  Ｉｎｆｒａｒｅｄ  Ｄｅｔｅｃｔｏｒ）と、マザーボードとを有し、前記ＰＩＲは、前記壁ベースの前記固定槽に嵌設され、前記集光ランプ及び前記ＰＩＲは、前記マザーボード及び電源にそれぞれ接続され、前記ＰＩＲは、外部の赤外線信号を検知し、検知結果を前記マザーボードへフィードバックし、前記マザーボードは、前記ＰＩＲの検知結果に基づいて照明光源の作動を制御することを特徴とする照明器具。
【請求項２】
前記底蓋の底端には、シリコーン栓が挿設されることを特徴とする請求項１に記載の照明器具。
【請求項３】
前記ビデオレコーダーは、フレームを介して前記ランプ体内に固着され、
前記フレームには、前記ビデオカメラが取り付けられることを特徴とする請求項１に記載の照明器具。
【請求項４】
前記底蓋には、出光口が形成されることを特徴とする請求項１に記載の照明器具。
【請求項５】
前記照明光源は、固定板を介して底蓋内に嵌設されることを特徴とする請求項１に記載の照明器具。
【請求項６】
前記照明光源上には、光反射板が配設され、
前記光反射板により前記照明光源の集光効果を高めることを特徴とする請求項１に記載の照明器具。
【考案の詳細な説明】
【技術分野】
【０００１】
本考案は、照明器具に関するものであり、さらに詳しくは、監視警告機能及び録画機能を兼ね備えた照明器具に関するものである。
【背景技術】
【０００２】
ＬＥＤ照明は、省エネ・環境保全及び長寿命であり、環境を汚染せず、高効率で制御が容易であるなどの顕著な長所を有し、室内照明として用いる照明器具の光源にはＬＥＤを使用することが徐々に多くなってきている。照明器具には、ペンダントライト、シーリングライト、デスクライト、フロアライト、壁面灯、投光ランプなど様々な種類のものが挙げられる。しかし、従来の照明器具は、単純に照明機能しか備えておらず、監視警告機能は備えないことが一般的であった。そのため、一部の特殊な環境下では、対応した設備が別途必要となるが、使用者にとっては、かかる設備を容易に調達することができないという問題があり、監視警告機能を有する照明器具の開発が切望されてきた。
【考案の概要】
【考案が解決しようとする課題】
【０００３】
従って、本考案の課題は、監視警告機能及び録画機能を兼ね備えた照明器具を提供することにある。
【課題を解決するための手段】
【０００４】
そこで、本考案者は、本考案の前記課題を解決するため鋭意検討を重ねた結果、後述のように、ランプ本体と、ビデオレコーダーと、壁ベースと共に監視警告装置をランプ体に内蔵させることにより、前記課題を解決できる点に着目し、かかる知見に基いて本考案に想到するに至った。
【０００５】
すなわち、上記課題を解決するために、本考案の第１の形態によれば、ランプ本体、ビデオレコーダー、壁ベース及び監視警告装置を備えた照明器具であって、前記ランプ本体は、ランプ体の頂端に組み立てられる照明ハウジングを有し、前記ランプ体と前記照明ハウジングとの間には、照明光源及びランプカバーが配設され、前記ランプ体には、貫通孔が形成され、前記ランプ体の端部には、底蓋が嵌設され、前記底蓋には、ＳＤカードスロットが形成され、前記ビデオレコーダーは、前記ランプ体内に収容され、前記ランプ体内には、ビデオカメラが固着され、前記ビデオカメラの撮像ヘッド部は、前記ランプ体の前記貫通孔に相対して位置し、前記ランプ体の外部を撮影し、前記ビデオレコーダーは、前記ランプ体の底蓋内に取り付けられたＴＦカードプレートを有し、前記ＴＦカードプレートには、前記ビデオカメラが撮影した画像を記憶するＳＤカードが挿入され、前記壁ベースは、前記ランプ体が固着されるとともに、内部に電源が固設され、底端に固定槽が形成され、前記監視警告装置は、集光ランプと、ＰＩＲ（Ｐａｓｓｉｖｅ  Ｉｎｆｒａｒｅｄ  Ｄｅｔｅｃｔｏｒ）と、マザーボードとを有し、前記ＰＩＲは、前記壁ベースの前記固定槽に嵌設され、前記集光ランプ及び前記ＰＩＲは、前記マザーボード及び電源にそれぞれ接続され、前記ＰＩＲは、外部の赤外線信号を検知し、検知結果を前記マザーボードへフィードバックし、前記マザーボードは、前記ＰＩＲの検知結果に基づいて照明光源の作動を制御することを特徴とする照明器具が提供される。
【０００６】
かくして、本考案の要旨は、次の（１）〜（６）に記載の通りのものである。
【０００７】
（１）ランプ本体、ビデオレコーダー、壁ベース及び監視警告装置を備えた、照明器具であって、
前記ランプ本体は、ランプ体の頂端に組み立てられる照明ハウジングを有し、前記ランプ体と前記照明ハウジングとの間には、照明光源及びランプカバーが配設され、前記ランプ体には、貫通孔が形成され、前記ランプ体の端部には、底蓋が嵌設され、前記底蓋には、ＳＤカードスロットが形成され、
前記ビデオレコーダーは、前記ランプ体内に収容され、前記ランプ体内には、ビデオカメラが固着され、前記ビデオカメラの撮像ヘッド部は、前記ランプ体の前記貫通孔に相対して位置し、前記ランプ体の外部を撮影し、前記ビデオレコーダーは、前記ランプ体の底蓋内に取り付けられたＴＦカードプレートを有し、前記ＴＦカードプレートには、前記ビデオカメラが撮影した画像を記憶するＳＤカードが挿入され、
前記壁ベースは、前記ランプ体が固着されるとともに、内部に電源が固設され、底端に固定槽が形成され、
前記監視警告装置は、集光ランプと、ＰＩＲ（Ｐａｓｓｉｖｅ  Ｉｎｆｒａｒｅｄ  Ｄｅｔｅｃｔｏｒ）と、マザーボードとを有し、前記ＰＩＲは、前記壁ベースの前記固定槽に嵌設され、前記集光ランプ及び前記ＰＩＲは、前記マザーボード及び電源にそれぞれ接続され、前記ＰＩＲは、外部の赤外線信号を検知し、検知結果を前記マザーボードへフィードバックし、前記マザーボードは、前記ＰＩＲの検知結果に基づいて照明光源の作動を制御することを特徴とする照明器具。
（２）前記底蓋の底端には、シリコーン栓が挿設されることを特徴とする前記（１）に記載の照明器具。
（３）前記ビデオレコーダーは、フレームを介して前記ランプ体内に固着され、
前記フレームには、前記ビデオカメラが取り付けられることを特徴とする前記（１）に記載の照明器具。
（４）前記底蓋には、出光口が形成されることを特徴とする前記（１）に記載の照明器具。
（５）前記照明光源は、固定板を介して底蓋内に嵌設されることを特徴とする前記（１）に記載の照明器具。
（６）前記照明光源上には、光反射板が配設され、
前記光反射板により前記照明光源の集光効果を高めることを特徴とする前記（１）に記載の照明器具。
【考案の効果】
【０００８】
本考案の照明器具は、ランプ本体と監視警告装置とを結合し、監視警告装置上には、照明光源及びＰＩＲが配設され、ランプが照明機能及び監視警告機能を同時に備え、ビデオレコーダーのビデオカメラを長期間作動させ、人や物の動きに反応して録画・記憶する機能を有するため、実用的価値が高く、運用範囲が広く、普及させる価値がある。
【図面の簡単な説明】
【０００９】
【図１】本考案の一実施形態に係る照明器具を示す斜視図である。
【図２】本考案の一実施形態に係る照明器具の別の角度からの斜視図である。
【図３】本考案の一実施形態に係る照明器具を示す分解斜視図（１）である。
【図４】本考案の一実施形態に係る照明器具を示す分解斜視図（２）である。
【図５】本考案の一実施形態に係る照明器具を示す断面図である。
【考案を実施するための形態】
【００１０】
本考案の技術手段及びそれにより達成可能な効果を、より完全かつ明白に開示するために、開示した添付の図面及び符号と併せて本考案を以下に詳説する。もっとも、本考案は、かかる図面等によって限定されるものではない。
【００１１】
図１〜図５を参照する。図１〜図５に示すように、本考案の一実施形態に係る照明器具は、少なくともランプ本体１０、ビデオレコーダー２０、壁ベース３０及び監視警告装置４０から構成されてなる。
【００１２】
ランプ本体１０は、ランプ体１１の頂端に照明ハウジング１２が組み合わされる。ランプ体１１と照明ハウジング１２との間には、照明光源１３及びランプカバー１４が配設される。ランプ体１１上には、貫通孔１５が形成される。ランプ体１１の端部には、底蓋１６が嵌設される。底蓋１６の底端には、シリコーン栓１７が挿設される。底蓋１６上には、出光口１８及びＳＤカードスロット１９が形成される。
【００１３】
ビデオレコーダー２０は、ランプ体１１内に収容される。ビデオレコーダー２０は、フレーム２１を介してランプ体１１内に固着される。フレーム２１には、ビデオカメラ２２が取り付けられる。ビデオカメラ２２の撮像ヘッド部は、ランプ体１１の貫通孔１５に相対して位置し、ランプ体１１の外部を撮影することができる。ビデオレコーダー２０は、ランプ体１１の底蓋１６内に取り付けられたＴＦカードプレート２３を含む。ＴＦカードプレート２３には、ビデオカメラ２２が撮影した画像を記憶するＳＤカードが挿入可能である。
【００１４】
壁ベース３０には、ランプ体１１が固着される。壁ベース３０内には、電源３１が固設される。電源３１の一端には、係合部３２が螺着される。係合部３２上には、当接板３３が配設される。壁ベース３０の頂端には、ねじ孔３４が形成される。ねじ孔３４には、固定ねじ３５が螺合される。壁ベース３０の底端には、固定槽３６が形成される。
【００１５】
監視警告装置４０は、集光ランプ４１と、ＰＩＲ（Ｐａｓｓｉｖｅ  Ｉｎｆｒａｒｅｄ  Ｄｅｔｅｃｔｏｒ）４４と、マザーボード（図示せず）と、を含む。照明光源（集光ランプ）４１は、固定板４２を介して底蓋１６内に嵌設される。照明光源（集光ランプ）４１上には、光反射板４３が配設される。光反射板４３は、集光ランプ４１の集光効果を向上させることができる。ＰＩＲ４４は、壁ベース３０の固定槽３６に嵌設される。上述した集光ランプ４１及びＰＩＲ４４は、マザーボード及び電源３１にそれぞれ接続される。上述したＰＩＲは、外部の赤外線信号を検知し、その検知結果をマザーボードへフィードバックする。上述したマザーボードは、ＰＩＲ４４の検知結果に基づいて集光ランプ４１の作動を制御する。
【００１６】
また、既にランプ本体１０と組み合わされた壁ベース３０を壁板５０上に嵌設させる（壁板５０は壁面上に既に固着された状態である）。壁ベース３０は、係合部３２上の当接板３３を壁板５０の当接片５１下に嵌設させ、固定ねじ３５を螺合させると、固定ねじ３５の底端が壁板５０の押圧片５２に押圧され、固定ねじ３５の押圧及び位置拘束により、壁ベース３０を容易に壁板５０上に固定させることができる。
【００１７】
実際に使用するときは、ビデオレコーダー２０のビデオカメラ２２を長期間作動させ、人や物の動きに反応して録画し、録画した画像をＴＦカードプレート２３内に挿入したＳＤカードに記憶させることができる上、ＳＤカードに水が浸入したりＳＤカードが不用意に外れて落下したりすることを防ぐために、底蓋１６の底端にシリコーン栓１７が挿設されている。
【００１８】
監視警告装置４０は、照明光源４１及びＰＩＲ４４を介してマザーボード及び電源３１に接続される。ＰＩＲ４４は、外部の赤外線信号を検知し、その検知結果をマザーボードへフィードバックする。マザーボードは、ＰＩＲ４４の検知結果に基づいて照明光源４１，１３の動作を制御し、出光口１８を介して照明光源４１の光を上方及び周囲に出射し、警告機能及び照明機能を得る。
【００１９】
上述したことから分かるように、本考案の照明器具は、ランプ本体１０と監視警告装置４０とを結合し、監視警告装置４０上には、照明光源４１及びＰＩＲ４４が配設され、ランプが照明機能及び監視警告機能を同時に備え、ビデオレコーダー２０のビデオカメラ２２を長期間作動させ、人や物の動きに反応して録画・記憶する機能を有するため、実用的価値が高く、運用範囲が広く、普及させる価値がある。
【００２０】
当該分野の当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０  ランプ本体
１１  ランプ体
１２  照明ハウジング
１３  照明光源
１４  ランプカバー
１５  貫通孔
１６  底蓋
１７  シリコーン栓
１８  出光口
１９  ＳＤカードスロット
２０  ビデオレコーダー
２１  フレーム
２２  ビデオカメラ
２３  ＴＦカードプレート
３０  壁ベース
３１  電源
３２  係合部
３３  当接板
３４  ねじ孔
３５  固定ねじ
３６  固定槽
４０  監視警告装置
４１  集光ランプ（照明光源）
４２  固定板
４３  光反射板
４４  ＰＩＲ
５０  壁板
５１  当接片
５２  押圧片
【図１】
0003226263.tif 000003
【図２】
0003226263.tif 000004
【図３】
0003226263.tif 000005
【図４】
0003226263.tif 000006
【図５】
0003226263.tif 000007